(57)【要約】      （修正有）【課題】光源及び電池やスイッチを有する照明ユニットの組込作業やそれらの交換作業を能率的に行なうことができる照明付き把手装置を提供する。【解決手段】杖本体１を操作するために該杖本体１に取り付けられる把手本体３を有し、該把手本体３内に収納空間が形成され、光源６及び電池７とスイッチ８とを格納ケースに格納した照明ユニットＵが前記収納空間内に取出し可能に収納され、その収納空間の開口部にキャップが着脱可能に嵌合されており、スイッチ８をオン状態にすることにより光源６を点灯させて杖の前方を照らすようにした。【選択図】図１
0003158601.tif 000002
【実用新案登録請求の範囲】
【請求項１】
主体を操作するために該主体に取り付けられる把手本体を有し、該把手本体内に収納空間が形成され、光源及び電池とスイッチとを格納ケースに格納した照明ユニットが前記収納空間内に取出し可能に収納され、その収納空間の開口部にキャップが着脱可能に嵌合されており、スイッチをオン状態にすることにより光源を点灯させて把手本体から所望方向を照らすようにしてなる照明付き把手装置。
【請求項２】
前記主体が杖本体である請求項１に記載の照明付き把手装置。
【請求項３】
前記収納空間が把手本体の前後両端面に開口するように該把手本体に形成され、前記キャップにスイッチ操作口が形成されており、収納空間の後端開口部から該収納空間内に照明ユニットを挿入することより光源をその収納空間の前端開口部に対向させ、収納空間の後端開口部にキャップを嵌合させることにより該キャップのスイッチ操作口をスイッチの操作部に対向させるようにしてなる請求項２に記載の照明付き把手装置。
【請求項４】
前記主体が傘本体である請求項１に記載の照明付き把手装置。
【請求項５】
前記収納空間が把手本体の下端面に開口するように該把手本体に形成され、前記キャップに投光口とスイッチ操作口とが形成されており、収納空間の下端開口部から該収納空間内に照明ユニットを挿入し、その収納空間の下端開口部にキャップを嵌合させることにより、該キャップの投光口を光源に対向させると共に、そのキャップのスイッチ操作口をスイッチの操作部に対向させるようにしてなる請求項４に記載の照明付き把手装置。
【考案の詳細な説明】
【技術分野】
【０００１】
本考案は、例えば杖や傘などに用いられる照明付き把手装置に関し、特に、光源及び電池やスイッチを有する照明ユニットの組込作業やそれらの交換作業を能率的に行なうことができるようにしたものである。
【背景技術】
【０００２】
従来、照明付き杖の一例として特許文献１に記載したものがある。これは、杖本体の上端に取り付けた把手本体内に収納空間が形成され、該収納空間内に電池と光源とが別個に収納され、その収納空間の開口部に嵌合させたキャップにスイッチが取り付けられており、スイッチをオン状態にすることにより光源を点灯させ、足元を照らす。
【０００３】
また、照明付き傘の一例として特許文献２に記載したものがある。これは、傘本体の下端に取り付けた把手本体の根元部と先端部とに収納空間が形成され、その根元部側収納空間内に電池が収納されると共に、その先端部側収納空間内に光源が収納され、把手本体の根元部外周面にスイッチが取り付けられており、該スイッチをオン状態にすることにより光源を点灯させ、足元を照らす。
【先行技術文献】
【特許文献】
【０００４】
【特許文献１】特開２００７−１３６１４８号公報（図３）
【特許文献２】実開平６−５７２１８号公報（図２）
【考案の概要】
【考案が解決しようとする課題】
【０００５】
特許文献１及び２によれば、把手本体に対して光源及び電池とスイッチとが別個に組み込まれているから、その組込作業に手間と時間とがかかると共に、それらの交換作業にも手間と時間とがかかり、作業能率が低い。
【０００６】
本考案は、上記従来の欠点に鑑み、光源及び電池やスイッチを有する照明ユニットの組込作業やそれらの交換作業を能率的に行なうことができるようにした照明付き把手装置を提供することを目的としている。
【課題を解決するための手段】
【０００７】
上記目的を達成するため、請求項１に記載の考案は、主体１を操作するために該主体１に取り付けられる把手本体３を有し、該把手本体３内に収納空間４が形成され、光源６及び電池７とスイッチ８とを格納ケース９に格納した照明ユニットＵが前記収納空間４内に取出し可能に収納され、その収納空間４の開口部４ｂ，４ｃにキャップ１０が着脱可能に嵌合されており、スイッチ８をオン状態にすることにより光源６を点灯させて把手本体３から所望方向を照らすようにしてなる構成を採用するものである。
【０００８】
請求項２に記載の考案は、請求項１に記載の考案において、前記主体が杖本体１である構成を採用するものである。
【０００９】
請求項３に記載の考案は、請求項２に記載の考案において、前記収納空間４が把手本体３の前後両端面に開口するように該把手本体３に形成され、前記キャップ１０にスイッチ操作口１９が形成されており、収納空間４の後端開口部４ｂから該収納空間４内に照明ユニットＵを挿入することより光源６をその収納空間４の前端開口部４ａに対向させ、収納空間４の後端開口部４ｂにキャップ１０を嵌合させることにより該キャップ１０のスイッチ操作口１９をスイッチ８の操作部８ａに対向させるようにしてなる構成を採用するものである。
【００１０】
請求項４に記載の考案は、請求項１に記載の考案において、前記主体が傘本体２１である構成を採用するものである。
【００１１】
請求項５に記載の考案は、請求項４に記載の考案において、前記収納空間４が把手本体３の下端面に開口するように該把手本体３に形成され、前記キャップ１０に投光口２２とスイッチ操作口１９とが形成されており、収納空間４の下端開口部４ｃから該収納空間４内に照明ユニットＵを挿入し、その収納空間４の下端開口部４ｃにキャップ１０を嵌合させることにより、該キャップ１０の投光口２２を光源６に対向させると共に、そのキャップ１０のスイッチ操作口１９をスイッチ８の操作部８ａに対向させるようにしてなる構成を採用するものである。
【考案の効果】
【００１２】
請求項１に記載の考案によれば、光源６及び電池７とスイッチ８とを格納ケース９に格納することにより照明ユニットＵが形成されているから、その照明ユニットＵを開口部４ｂ，４ｃから収納空間４内に収納し、該開口部４ｂ，４ｃにキャップ１０を嵌合させるだけで、その照明ユニットＵの組込作業を簡単容易に行なうことができると共に、その逆の手順で光源６や電池７の交換作業を能率的に行なうことができる。
【００１３】
請求項２に記載の考案によれば、杖に照明機能が付与されているから、夜間や暗い場所でも杖を使って前方を照らしながら安全に歩行することができる。
【００１４】
請求項３に記載の考案によれば、収納空間４内に照明ユニットＵを挿入し、キャップ１０を後端開口部４ｂに嵌合させるだけで、光源６を収納空間４の前端開口部４ａに対向させることができると共に、スイッチ８の操作部８ａにキャップ１０のスイッチ操作口１９を対向させることができ、そのスイッチ８の操作部８ａを操作することにより、光源６を点灯させて、前端開口部４ａから杖の前方を効果的に照らすことができる。
【００１５】
請求項４に記載の考案によれば、傘に照明機能が付与されているから、夜間や暗い場所でも足元を照らしながら安全に歩行することができる。
【００１６】
請求項５に記載の考案によれば、収納空間４内に照明ユニットＵを挿入し、該収納空間４の下端開口部４ｃにキャップ１０を嵌合させるだけで、光源６をキャップ１０の投光口２２に対向させることができると共に、スイッチ８の操作部８ａをキャップ１０のスイッチ操作口１９に対向させることができ、そのスイッチ８の操作部８ａを操作することにより、光源６を点灯させて、投光口２２から傘の下方を効果的に照らすことができる。
【図面の簡単な説明】
【００１７】
【図１】本考案の実施の一形態である照明付き把手装置を用いた杖の一部切欠き斜視図である。
【図２】同装置の縦断面図である。
【図３】図２のＡ−Ａ矢視図である。
【図４】図２のＢ−Ｂ矢視図である。
【図５】図２のＣ−Ｃ矢視図である。
【図６】同装置の電気回路図である。
【図７】本考案の実施の他の態である照明付き把手装置を用いた傘の概略正面図である。
【図８】同装置の斜視図である。
【図９】同装置の縦断面図である。
【図１０】図９のＤ−Ｄ矢視図である。
【図１１】図９のＥ−Ｅ矢視図である。
【図１２】図９のＦ−Ｆ矢視図である。
【図１３】図９のＧ−Ｇ矢視図である。
【考案を実施するための形態】
【００１８】
図１〜図６は本考案の実施の一形態である照明付き把手装置を用いた杖を示すものであって、杖本体（主体）１の上端にボルト２を介して取り付けられた合成樹脂製把手本体３を有し、該把手本体３内に収納空間４が形成され、該収納空間４が把手本体３の前後両端面に開口されて前端開口部４ａと後端開口部４ｂとが形成され、その前端開口部４ａの口径が収納空間４の口径よりも小さく設定されると共に、その後端開口部４ｂの口径が収納空間４の口径よりも大きく設定され、光源６及び電池７とスイッチ８とを合成樹脂製格納ケース９に格納した照明ユニットＵが収納空間４内に取り出し可能に収納され、後端開口部４ｂに合成樹脂製キャップ１０が着脱可能に嵌合されている。
【００１９】
前記格納ケース９は、長尺な底板９ａ及び該底板９ａの両側縁から上向き直角に延びる一対の側板９ｂと、その底板９ａ及び両側板９ｂの後端に設けた後端板９ｃとにより横断面略コ字状の箱体とされ、底板９ａ及び両側板９ｂの前端近傍に設けた左右一対の仕切板９ｄにより格納ケース９内が光源室１１と電池室１２とに仕切られ、両仕切板９ｄ間の隙間に差し込んだ反射板１３付きの発光ダイオード（ＬＥＤ）や豆電球などからなる光源６が光源室１１内に配置され、電池室１２内に例えば単３の複数の電池７が直列状に配列されている。
【００２０】
前記スイッチ８は、格納ケース９の後端板９ｃの外周面に固着され、スライド式操作部８ａを有している。なお、図２中、１４は格納ケース９の前端と反射板１３と間に配置した透明板、１５は後端板９ｃの内周面に設けられて電池７のマイナス面に接するばね、１６はスイッチ８とばね１５及び反射板１３とを接続するリード線である。
【００２１】
図３及び図５に示すように、前記キャップ１０は、収納空間４の後端開口部４ｂ内に嵌入する筒状板１０ａと、該筒状板１０ａの内周面に一体形成した蓋板１０ｂとを有し、筒状板１０ａの左右両側部にそれぞれ一対ずつスリットを形成することにより該スリット間に切り残された左右一対の弾性板１０ｃの外周面にフック１０ｄが一体突設され、該各フック１０ｄに対向して把手本体３の後端両側部に一対のロック孔１８が貫設され、蓋板１０ｂにスイッチ操作口１９が開設されており、収納空間４の後端開口部４ｂ内にキャップ１０を嵌合させることにより、各弾性板１０ｃが弾性変位されて各フック１０ｄが各ロック孔１８に嵌入され、これにより、キャップ１０が把手本体３に取り付けられ、該キャップ１０のスイッチ操作口１９がスイッチ８の操作部８ａに対向される。
【００２２】
図６の電気回路図に示すように，スイッチ８の操作部８ａをスライド操作してオン状態にすることにより、光源６を点灯させて前端開口部４ａから杖の前方を照らす。
【００２３】
上記構成によれば、光源６及び電池７とスイッチ８とを格納ケース９に格納して照明ユニットＵが形成されているから、その照明ユニットＵを後端開口部４ｂから収納空間４内に収納し、該後端開口部４ｂにキャップ１０を嵌合させるだけで、その照明ユニットＵの組込作業を簡単容易に行なうことができると共に、その逆の手順で光源６や電池７の交換作業を能率的に行なうことができる。
【００２４】
また、収納空間４内に照明ユニットＵを挿入し、キャップ１０を後端開口部４ｂに嵌合させるだけで、光源６を収納空間４の前端開口部４ａに対向させることができると共に、スイッチ８の操作部８ａにキャップ１０のスイッチ操作口１９を対向させることができ、そのスイッチ８の操作部８ａを操作することにより、光源６を点灯させて、前端開口部４ａから杖の前方を効果的に照らし、夜間や暗い場所でも安全に歩行することができる。
【００２５】
図７〜図１３は本考案の実施の他の形態である照明付き把手装置を用いた傘を示すものであって、傘本体（主体）２１の軸部下端にボルト２を介して取り付けられた合成樹脂製把手本体３を有し、該把手本体３内に収納空間４が形成され、該収納空間４が把手本体３の下端面に開口されて下端開口部４ｃが形成され、その下端開口部４ｃの口径が収納空間４の口径よりも大きく設定され、収納空間４内に収納される照明ユニットＵの格納ケース９内が中央隔壁９ｅにより左右２部屋に分けられ、その一方の部屋に光源室１１と電池室１２とが形成される共に、その他方の部屋に電池室１２が形成され、その両室１２に格納した電池７どうしがリード線１６により接続され、下端開口部４ｃに嵌合されるキャップ１０の蓋板１０ｂに投光口２２が形成され、該投光口２２から光源６に向けて延びるテーパ筒１０ｅが蓋板１０ｂに一体突設されている。上記以外の構成は図１〜図６に示す構成とほぼ同じであるから、同一部分に同一符号を付してその説明を省略する。
【００２６】
上記構成において、スイッチ８の操作部８ａをスライド操作してオン状態にすることにより、光源６を点灯させて投光口２２から傘の下方を照らす。
【００２７】
上記構成によれば、光源６及び電池７とスイッチ８とを格納ケース９に格納して照明ユニットＵが形成されているから、その照明ユニットＵを下端開口部４ｃから収納空間４内に収納し、該下端開口部４ｃにキャップ１０を嵌合させるだけで、その照明ユニットＵの組込作業を簡単容易に行なうことができると共に、その逆の手順で光源６や電池７の交換作業を能率的に行なうことができる。
【００２８】
また、収納空間４内に照明ユニットＵを挿入し、該収納空間４の下端開口部４ｃにキャップ１０を嵌合させるだけで、光源６をキャップ１０の投光口２２に対向させることができると共に、スイッチ８の操作部８ａをキャップ１０のスイッチ操作口１９に対向させることができ、そのスイッチ８の操作部８ａを操作することにより、光源６を点灯させて、投光口２２から傘の下方を効果的に照らし、夜間や暗い場所でも安全に歩行することができる。
【産業上の利用可能性】
【００２９】
上記の実施の形態では、杖と傘に用いられる照明付き把手装置を例にあげて説明したが、これに限定されるわけではなく、例えば鞄などにも適用される。
【符号の説明】
【００３０】
１        杖本体（主体）
３        把手本体
４        収納空間
４ａ      収納空間の前端開口部
４ｂ      収納空間の後端開口部
４ｃ      収納空間の下端開口部
６        光源
７        電池
８        スイッチ
８ａ      スイッチの操作部
９        格納ケース
１０      キャップ
１９      スイッチ操作口
２１      傘本体（主体）
２２      投光口
【図１】
0003158601.tif 000003
【図２】
0003158601.tif 000004
【図３】
0003158601.tif 000005
【図４】
0003158601.tif 000006
【図５】
0003158601.tif 000007
【図６】
0003158601.tif 000008
【図７】
0003158601.tif 000009
【図８】
0003158601.tif 000010
【図９】
0003158601.tif 000011
【図１０】
0003158601.tif 000012
【図１１】
0003158601.tif 000013
【図１２】
0003158601.tif 000014
【図１３】
0003158601.tif 000015